(57)【特許請求の範囲】
【請求項１】
現用回線と予備回線からなる２回線の光伝送路によって構成されたリング型の光ネットワーク上に備えられ光通信を行う複数の光分岐挿入ノードのうちの一つに接続されたネットワーク管理装置であって、
前記光ネットワーク上における複数の光分岐挿入ノードの配置情報と、当該複数の光分岐挿入ノードが伝送している光信号の運用波長情報を保持する記憶手段と、
前記複数の光分岐挿入ノードから通知された故障情報に基づいて前記記憶手段に保持された前記運用波長情報を更新し、当該更新を行った運用波長情報を前記複数の光分岐挿入ノードへ配布する制御手段と、
を備えたことを特徴とするネットワーク管理装置。
【請求項２】
前記制御手段は、前記複数の光分岐挿入ノードから通知された前記故障情報が、同一のノード間における前記現用回線と予備回線がいずれも断絶された同時断であるかを判断する断絶判定手段と、
前記断絶判定手段における判定結果と、前記記憶手段に保持されている前記複数の光分岐挿入ノードの配置情報に基づいて、前記同時断の断絶位置を特定する断絶位置特定手段と、
を備えたことを特徴とする請求項１に記載のネットワーク管理装置。
【請求項３】
前記複数の光分岐挿入ノードから通知される故障情報は、光監視チャネルを用いたネットワーク監視用信号であることを特徴とする請求項２に記載のネットワーク管理装置。
【請求項４】
前記制御手段は、前記故障情報を通知した前記複数の光分岐挿入ノードに関する前記運用波長情報を前記記憶手段から参照する運用波長参照手段と、
前記故障情報を通知した前記複数の光分岐挿入ノードについて、前記運用波長参照手段が参照した前記運用波長情報に基づいて、当該光分岐挿入ノードにおける光信号の伝送の有無を判断する運用波長判断手段と、
前記複数の光分岐挿入ノードから通知された前記故障情報が、同一のノード間における前記現用回線と予備回線がいずれも断絶された同時断であるかを判断する断絶判定手段と、
前記断絶判定手段における判定結果と、前記記憶手段に保持されている前記複数の光分岐挿入ノードの配置情報に基づいて、前記同時断の断絶位置を特定する断絶位置特定手段と、
を備えたことを特徴とする請求項１に記載のネットワーク管理装置。
【請求項５】
前記複数の光分岐挿入ノードから通知される故障情報は、前記光信号の断絶の検出に基づいて当該複数の光分岐挿入ノードが生成したアラームであることを特徴とする請求項４に記載のネットワーク管理装置。
【請求項６】
現用回線と予備回線からなる２回線に通信用信号とネットワーク監視用信号が伝送されているリング型の光ネットワーク上に備えられた光分岐挿入ノードにおいて、
前記通信用信号のうち任意の波長の光信号を分岐して取り出し、特定波長の光信号を前記通信用信号として挿入する分岐挿入手段と、
前記現用回線と予備回線の断絶をそれぞれ検出する断絶検出手段と、
前記断絶検出手段によって検出された前記現用回線と予備回線の断絶に関する情報を前記ネットワーク監視用信号を介して前記光ネットワークを管理するネットワーク管理装置へ通知する通知手段と、
を備えたことを特徴とする光分岐挿入ノード。
【請求項７】
前記断絶検出手段は、前記現用回線と予備回線から入力された光を前記通信用信号と前記ネットワーク監視用信号に分離するＷＤＭカプラと、
前記ＷＤＭカプラによって分離された前記ネットワーク監視用信号を前記ネットワーク管理装置へ伝送するネットワーク監視用信号伝送手段と、
を備えたことを特徴とする請求項６に記載の光分岐挿入ノード。
【請求項８】
前記ネットワーク監視用信号伝送手段は、前記ネットワーク監視用信号を電気信号と相互変換する変換手段を備え、前記ネットワーク管理装置との間で前記電気信号を伝送することを特徴とする請求項７に記載の光分岐挿入ノード。
【請求項９】
前記断絶検出手段は、前記通信用信号を監視し、当該通信用信号の伝送状態に基づいて前記ネットワーク管理装置へ故障情報を通知するノード制御手段を備えたことを特徴とする請求項６に記載の光分岐挿入ノード。
【請求項１０】
現用回線と予備回線からなる２回線の光伝送路によって構成されたリング型の光ネットワークを管理するネットワーク管理方法であって、
前記ネットワーク上に配置された複数の光分岐挿入ノードから通知された故障情報を受信する受信工程と、
前記故障情報の受信に基づいて、前記光ネットワーク上における複数の光分岐挿入ノードの配置情報と、当該複数の光分岐挿入ノードが伝送している光信号の運用波長情報を更新する更新工程と、
更新を行った前記運用波長情報を前記複数の光分岐挿入ノードへ配布する配布工程と、
を含むことを特徴とするネットワーク管理方法。
【請求項１１】
前記複数の光分岐挿入ノードから通知された前記故障情報が、同一のノード間における前記現用回線と予備回線がいずれも断絶された同時断であるかを判断する断絶判定工程と、
前記断絶判定工程における判定結果と、前記複数の光分岐挿入ノードの配置情報に基づいて、前記同時断の断絶位置を特定する断絶位置特定工程と、
を含むことを特徴とする請求項１０に記載のネットワーク管理方法。
【請求項１２】
前記故障情報を通知した前記複数の光分岐挿入ノードに関する前記運用波長情報を参照する運用波長参照工程と、
前記故障情報を通知した前記複数の光分岐挿入ノードについて、前記運用波長参照工程によって参照した前記運用波長情報に基づいて、当該光分岐挿入ノードにおける光信号の伝送の有無を判断する運用波長判断工程と、
前記複数の光分岐挿入ノードから通知された前記故障情報が、同一のノード間における前記現用回線と予備回線がいずれも断絶された同時断であるかを判断する断絶判定工程と、
前記断絶判定工程における判定結果と、前記複数の光分岐挿入ノードの配置情報に基づいて、前記同時断の断絶位置を特定する断絶位置特定工程と、
を含むことを特徴とする請求項１０に記載のネットワーク管理方法。
【発明の詳細な説明】
【技術分野】
【０００１】
本発明は、ＷＤＭ（Ｗａｖｅｌｅｎｇｔｈ  Ｄｉｖｉｓｉｏｎ  Ｍｕｌｔｉｐｌｅｘ；波長分割多重）により伝送を行う２本の光ファイバからなる双方向伝送を行うリング型の光ネットワークにおけるネットワーク管理装置、光分岐挿入ノードおよびネットワーク管理方法に関するものである。
【背景技術】
【０００２】
近年、インターネット・トラフィックに代表されるデータ通信の爆発的な需要拡大に伴い、ネットワークの大容量化が求められている。また、提供されるサービスも多種多様になることから、柔軟性に富み、なおかつ経済的なネットワークであることが求められている。特に、光伝送によるネットワーク（以下、「光ネットワーク」という）は、情報通信ネットワークの基盤形成の核となるものであり、より一層のサービスの高度化、広域化が望まれていることから、急速に開発が進められている。【０００３】
光ネットワークでは、波長の異なる光を多重することで１本の光ファイバで複数の光信号を同時に伝送するＷＤＭ技術が広く用いられている。ＷＤＭによる伝送を行うノードでは、多重化された光信号（以下、「ＷＤＭ信号」という）を各波長単位で処理するため、ＷＤＭ信号を電気信号に変換せずに特定波長の光信号の分岐（Ｄｒｏｐ）、挿入（Ａｄｄ）を行うＯＡＤＭ（Ｏｐｔｉｃａｌ  Ａｄｄ  Ｄｒｏｐ  Ｍｕｌｔｉｐｌｅｘｅｒ；光分岐挿入装置）によってＷＤＭ信号の制御が行われる。ＯＡＤＭの機能を実現するための手段としては、ＷＤＭ信号のなかから所望の波長の光信号を選択して透過させる波長可変フィルタを用いる方法がある（例えば、下記特許文献１参照。）。【０００４】
従来、光ネットワークにおける様々な形態のなかで、特にメトロネットワークなどで多く採用されているのが、図９に示すようなリング型の光ネットワーク構成である。図９は、ＷＤＭによるリング型の光ネットワークの構成例を示す図である。リング型の光ネットワークＢは、リング回線１０と、リング回線１０上に備えられたＯＡＤＭ機能を有した４つの光分岐挿入ノード（図中のノード１〜ノード４）９からなる。また、図１０は、リング型の光ネットワークに配置される光分岐挿入ノードの構成例を示す図である。光分岐挿入ノード９は、リング回線１０からＷＤＭ信号が入力される１×２（１入力２出力）の光カプラ１１と、光カプラ１１の一方に接続された波長可変フィルタ部１２と、光カプラ１１の他方と接続されたリジェクション・アドフィルタ１３からなる。【０００５】
波長可変フィルタ部１２は、ＡＯＴＦＡｃｏｕｓｔｏ−Ｏｐｔｉｃ  Ｔｕｎａｂｌｅ  Ｆｉｌｔｅｒ；音響光学型波長可変フィルタ）等を用いることで、ＷＤＭ信号のうち任意波長の光信号のみの分岐を行うことができる。波長可変フィルタ部１２は波長可変フィルタとして採用した素子によってその構成は異なるが、ＡＯＴＦを用いた場合は、制御信号として印加するＲＦ（Ｒａｄｉｏ  Ｆｒｅｑｕｅｎｃｙ；無線周波数）の値を変化させることで任意波長の光信号を透過させることができるというＡＯＴＦの特性から、ＡＯＴＦと、ＲＦ信号部と、制御部等から構成される。【０００６】
リジェクション・アドフィルタ１３は、入力側には光カプラ１１から接続と、外部から特定波長λ１の挿入を行う回線１４が接続されており、出力側にはリング回線１０が接続されている。リジェクション・アドフィルタ１３は、アド（挿入）機能によって、回線１４からの特定波長の光信号の挿入を行い、光カプラ１１から入力された他の光信号と合波され、ＷＤＭ信号となりリング回線１０へ出力される。リジェクト（拒絶）機能は、挿入された光信号が、リング型の光ネットワークＢを１周して、挿入された光分岐挿入ノード（例えば、ノード１からノード１）９へもどってきた際に、回線１４から挿入される同波長の光信号との多重を防ぐため、光カプラ１１から入力されたＷＤＭ信号のうちの特定波長λ１の光信号のみを終端させることである。挿入する光信号の波長は、ノードごとにあらかじめ割り当てられており、波長可変フィルタ部１２で受信する波長を選択することが通信相手の設定となる。よって、波長可変フィルタ部１２では、受信する波長を任意に設定できるため、任意のノード間の通信が可能となる。【０００７】
また、リング型の光ネットワークＢの構成を基本に、光ファイバの断絶等のネットワーク故障時に備え、光ファイバを２本にしたリング型の光ネットワークも提案されている。図１１は、２本の光ファイバを用いたリング型の光ネットワークの構成例を示す図である。また、図１２は、図１１に示したネットワーク構成における各ノードのＷＤＭ信号の多重状態を示した表である。リング型の光ネットワークＣは、現用回線２０と予備回線３０と、４つの光分岐挿入ノード１９（ノード１〜ノード４）から構成されている。図１２に示したように現用回線２０および予備回線３０上のどの光分岐挿入ノード１９（ノード１〜ノード４）にも同様のＷＤＭ信号が伝送されているため、現用回線２０が断絶した場合にも、ノードにおける接続を瞬時に予備回線３０へ切り替えるＯ−ＵＰＳＲ（Ｏｐｔｉｃａｌ  Ｕｎｉｄｉｒｅｃｔｉｏｎａｌ  Ｐａｔｈ  Ｓｗｉｔｃｈｅｄ  Ｒｉｎｇ）によるプロテクションを行うことで、瞬時の通信復旧が可能である（例えば、下記特許文献２参照。）。【０００８】
【特許文献１】特開２００４−２３５７４１号公報
【特許文献２】特開２００１−１５６８２１号公報
【発明の開示】
【発明が解決しようとする課題】
【０００９】
２本の光ファイバが同時に断絶した場合でも、瞬時の通信復旧が可能であるが、従来のネットワーク構成では新たな波長パスの設定ができなくなる。図１３は、２本の光ファイバを用いたリング型の光ネットワークにおける現用回線および予備回線の光ファイバ同時断絶の例を示す図である。また、図１４は、図１３に示すネットワーク構成におけるノード１〜ノード４のＷＤＭ信号の多重状態を示した表である。【００１０】
図１３に示したようにノード１とノード４間の２本の光ファイバが同時に断絶した場合の現用回線２０と予備回線３０の各ノードにおけるＷＤＭ信号の多重状態について説明する。現用回線２０では、光ファイバの断絶位置４０の直後の光分岐挿入ノード１９（ノード１）は、分岐を行う時点ではＷＤＭ信号が全く届かず、ノード１において特定波長λ１の光信号が挿入されたことで、ノード２では、分岐時点にλ１の光信号のみが多重されたＷＤＭ信号が伝送される。ノード１と同様にノード２においてλ２の光信号が、ノード３においてλ３の光信号が、ノード４においてλ４の光信号がそれぞれ挿入されることから断絶位置４０の直後が最もＷＤＭ信号の多重された信号数が少なく、現用回線２０の伝送方向に光分岐挿入ノード１９を経由するにつれてＷＤＭ信号の多重された信号数が増し、断絶位置４０の直前のノード４でＷＤＭ信号の多重信号数が最大になる。【００１１】
また、予備回線３０では、予備回線３０の進行方向において断絶位置４０の直後に位置するノード４にＷＤＭ信号が全く届かない状態となる。先に述べた現用回線２０における各光分岐挿入ノード１９のＷＤＭ信号の多重状態と同様にノード４→ノード３→ノード２→ノード１と、伝送方向の順に各光分岐挿入ノード１９のＷＤＭ信号の多重信号数は増加していく。【００１２】
以上述べたように、現用回線２０においてノード４から挿入した光信号λ４をノード１へ伝送したい場合や、予備回線３０においてノード１から挿入した光信号λ１をノード３へ伝送したい場合など、各回線の伝送方向からみて断絶位置４０より先に位置する光分岐挿入ノードへは、光が到達できない。また、伝送回線として選択できるのは現用回線２０と予備回線３０のどちらか一方に限られ、光ファイバの断絶位置によって、現用回線か予備回線の選択で、伝送されるＷＤＭ信号の多重状態は変化してしまうことから、新たな波長パス設定を行うことができない。【００１３】
２本の光ファイバが同時に断絶した状態で、新たな波長パス設定を行うためには、光ファイバの断絶位置を把握し、どの光分岐挿入ノード同士が通信可能であるかを見極めたうえで、各光分岐挿入ノードで定められている挿入用の光信号の波長の再設定を行う必要がある。そのためには、各光分岐挿入ノードに記録されている運用波長情報を更新しなければならない。運用波長情報の更新の方法としては、各光分岐挿入ノードに光スペクトルモニタを付加すればよいが、光スペクトルモニタは、一般的に高価である。よって、全ての光分岐挿入ノードに光スペクトルモニタを付加する方法はコスト面から考慮すると現実的ではない。【００１４】
本発明は、上記に鑑みてなされたものであって、２本の光ファイバが同時に断絶した場合でも新たな波長パス設定ができる低コストで簡単な構成のネットワーク管理装置、光分岐挿入ノードおよびネットワーク管理方法の提供を目的とする。
【課題を解決するための手段】
【００１５】
上述した課題を解決し、目的を達成するために、本発明のネットワーク管理装置は、現用回線と予備回線からなる２回線の光伝送路によって構成されたリング型の光ネットワーク上に備えられ光通信を行う複数の光分岐挿入ノードのうちの一つに接続されたネットワーク管理装置であって、前記光ネットワーク上における複数の光分岐挿入ノードの配置情報と、当該複数の光分岐挿入ノードが伝送している光信号の運用波長情報を保持する記憶手段と、前記複数の光分岐挿入ノードから通知された故障情報に基づいて前記記憶手段に保持された前記運用波長情報を更新し、当該更新を行った運用波長情報を前記複数の光分岐挿入ノードへ配布する制御手段と、を備えたことを特徴とする。【００１６】
上記構成によれば、リング型の光ネットワークの現用回線および予備回線が同時断したときには、光ネットワーク上に配置された光分岐挿入ノードから通知された故障情報に基づいて運用波長情報を更新し、更新を行った運用波長情報が複数の光分岐挿入ノードへ配布される。これにより、光分岐挿入ノードごとに伝送中の特定波長と、伝送経路の再設定が可能となり、２本の光ファイバが断絶されたまま、新たな波長パスの設定が行えるようになる。【００１７】
また、本発明の光分岐挿入ノードは、現用回線と予備回線からなる２回線に通信用信号とネットワーク監視用信号が伝送されているリング型の光ネットワーク上に備えられた光分岐挿入ノードにおいて、前記通信用信号のうち任意の波長の光信号を分岐して取り出し、特定波長の光信号を前記通信用信号として挿入する分岐挿入手段と、前記現用回線と予備回線の断絶をそれぞれ検出する断絶検出手段と、前記断絶検出手段によって検出された前記現用回線と予備回線の断絶に関する情報を前記ネットワーク監視用信号を介して前記光ネットワークを管理するネットワーク管理装置へ通知する通知手段と、を備えたことを特徴とする。【００１８】
上記構成によれば、現用回線と予備回線の断絶をそれぞれ検出し、断絶に関する情報をネットワーク監視用信号を介してネットワーク管理装置に通知する。これにより、ネットワーク管理装置では、光分岐挿入ノードからの通知に基づいて現用回線と予備回線が断絶した箇所を特定し、新たな波長パスの設定が行えるようになる。
【発明の効果】
【００１９】
本発明によれば、リング型の光ネットワークにネットワーク管理装置を設け、各光分岐挿入ノードの運用波長情報を集中管理することで、低コストでシンプルな構成の光分岐挿入ノードであっても２本の光ファイバが同時に断絶するような事態に対応し、新たな波長パスの設定を可能にするという効果を奏する。
【図面の簡単な説明】
【００２０】
【図１】図１は、本発明にかかるリング型の光ネットワークの構成を示す図である。
【図２】図２は、ネットワーク管理装置のＮＭＳの構成を示すブロック図である。
【図３】図３は、ネットワーク管理装置に保持されている運用波長テーブルを示す図表である。
【図４】図４は、実施例１における光分岐挿入ノードの構成を示す図である。
【図５】図５は、実施例１における断絶の検出から、運用波長情報の更新までの動作を示すフローチャートである。
【図６】図６は、２本の光ファイバが同時に断絶した際の運用波長テーブルの例を示す図表である。
【図７】図７は、実施例２における光分岐挿入ノードの構成を示す図である。
【図８】図８は、実施例２における断絶の検出から、運用波長情報の更新までの動作を示すフローチャートである。
【図９】図９は、ＷＤＭによるリング型の光ネットワークの構成例を示す図である。
【図１０】図１０は、リング型の光ネットワークに配置される光分岐挿入ノードの構成例を示す図である。
【図１１】図１１は、２本の光ファイバを用いたリング型の光ネットワークの構成例を示す図である。
【図１２】図１２は、図１１に示したネットワーク構成における各ノードのＷＤＭ信号の多重状態を示した図表である。
【図１３】図１３は、２本の光ファイバを用いたリング型の光ネットワークにおける現用回線および予備回線の光ファイバが同時に断絶の例を示す図である。
【図１４】図１４は、図１３に示すネットワーク構成におけるノード１〜ノード４のＷＤＭ信号の多重状態を示した図表である。
【符号の説明】
【００２１】
１０１，１０３  光分岐挿入ノード
４０１，７００，７０４  光カプラ
４０２  波長可変フィルタ部
４０３  リジェクション・アドフィルタ
１００  現用回線
１１０  予備回線
１０２  ネットワーク管理装置
４０４  ＷＤＭカプラ
４０５  光メディアコンバータ
４０６，７０３  電気ルータ
４０７，７０２  ノード制御部
７０１  光モニタ
【発明を実施するための最良の形態】
【００２２】
以下に、本発明にかかるネットワーク管理装置、光分岐挿入ノードおよびネットワーク管理方法の実施例を図面に基づいて詳細に説明する。なお、この実施例によりこの発明が限定されるものではない。
【実施例１】
【００２３】
図１は、本発明にかかるリング型の光ネットワークの構成を示す図である。リング型の光ネットワークＡは、相反する方向に光信号の伝送を行う現用回線１００と、予備回線１１０からなる２本の光ファイバと、これら２本の光ファイバ上に備えられたＯＡＤＭ機能を有した４つの光分岐挿入ノード１０１と、ＮＭＳ（Ｎｅｔｗｏｒｋ  Ｍａｎａｇｅｍｅｎｔ  Ｓｙｓｔｅｍ；ネットワーク管理システム）によるネットワーク管理装置１０２から構成される。ネットワーク管理装置１０２は、図示する例では、光分岐挿入ノード１０１のうちのノード１に接続されているように、４つの光分岐挿入ノード１０１のいずれか一つに接続されている。なお、図中の光分岐挿入ノード１０３に関しては実施例２に該当するため後で詳しく述べる。【００２４】
現用回線１００および予備回線１１０を伝送する光信号は、光分岐挿入ノード１０１間で光通信を行うためのＷＤＭ信号（通信用信号）と、リング型の光ネットワークＡの各回線の状態を監視するためのＯＳＣ（Ｏｐｔｉｃａｌ  Ｓｕｐｅｒｖｉｓｏｒｙ  Ｃｈａｎｎｅｌ；光監視チャネル）による光信号（ネットワーク監視用信号）とがある。通常ＷＤＭ信号は、１．５μｍ帯の波長の光を用い、ＯＳＣによる光信号は、１．３μｍ帯の波長の光を用いることから、これらの２つの信号は、相容れない独立した状態で、同一の回線上を伝送している。一般に、現用回線１００の光ファイバが断絶した場合は、ＯＳＣを用いて各光分岐挿入ノードに故障情報（アラーム）を通知し、Ｏ−ＵＰＳＲによる回線の復旧を行う。実施例１は、新たに設けたネットワーク管理装置１０２によって、ＯＳＣによる光信号（以下、「ＯＳＣリンク」という）の状態を集中管理する。【００２５】
図２は、ネットワーク管理装置のＮＭＳの構成を示すブロック図である。また、図３は、ネットワーク管理装置に保持されている運用波長テーブルを示す表である。運用波長テーブルとは各光分岐挿入ノード１０１の運用波長情報を一括して、表にまとめたものである。ネットワーク管理装置１０２は、ＮＭＳを実現するため、信号入出力部２０１と、制御部２０２と、運用波長テーブル部（メモリ）２０３の３つの機能部から構成される。【００２６】
信号入出力部２０１は、光分岐挿入ノード１０１（ノード１）と直接接続され、相互に信号の伝送を行う。ネットワーク管理装置１０２には、ＯＳＣにより各光分岐挿入ノード１０１から信号入出力部２０１を通じて、運用波長情報が入力され、図３に示すような運用波長テーブルとして運用波長テーブル部２０３に保持されている、また運用波長テーブル部２０３には、接続されているリング型の光ネットワークＡの光分岐挿入ノードの配置情報も保持されている。制御部２０２は、信号入出力部２０１から入力された、光分岐挿入ノード１０１からのアラームにより光ファイバの断絶を検出し、運用波長テーブル部２０３の光分岐挿入ノード１０１の配置情報から断絶位置を特定することで、運用波長テーブルの更新を行う。また、更新した運用波長テーブル部２０３の運用波長テーブルからの運用波長情報を、信号入出力部２０１を通じて、光分岐挿入ノード１０１へ伝送する機能を有する。【００２７】
図３に示した運用波長テーブルは、各光分岐挿入ノード１０１（ノード１〜ノード４）における現用回線１００と予備回線１１０を伝送する波長ごとの光信号の状態を表している。波長番号１〜４は、ＷＤＭ信号の多重化されたλ１〜λ４の光信号を指す。各波長番号の運用情報は、通常１か０で示され、「１：運用中」、「０：非運用中」を表す。例えば、図３中の３０１で指し示した情報は、光分岐挿入ノード１０１（ノード１）における現用回線１００を伝送するＷＤＭ信号中のλ４の光信号が、通信用として運用中であるか否かを表している。同様に３０２で指し示した情報は、光分岐挿入ノード１０１（ノード３）における予備回線１１０を伝送するＷＤＭ信号中のλ２の光信号が、通信用として運用中であるか否かを表している。基本的に現用回線１００と予備回線１１０は同一のＷＤＭ信号を伝送しているため、通常時は、同一の光分岐挿入ノード１０１であれば、現用回線１００と予備回線１１０の運用波長テーブルの情報は同一となる。【００２８】
図４は、実施例１における光分岐挿入ノードの構成を示す図である。光分岐挿入ノード１０１は、光カプラ４０１と、波長可変フィルタ部４０２と、リジェクション・アドフィルタ４０３という従来の光分岐挿入ノードと同様の構成による光分岐挿入機能部４００へ、ネットワーク管理装置１０２によって集中管理を行うための機能を付加した構成となっている。相反する方向に伝送を行う現用回線１００と予備回線１１０が接続された光分岐挿入ノード１０１は、それぞれの回線の入力用ポートから入力された光信号を、ＷＤＭカプラ４０４によって、１．５μｍ帯のＷＤＭ信号と、１．３μｍ帯のＯＳＣリンクに分離する。【００２９】
分離されたＷＤＭ信号は、光分岐挿入機能部４００へ入力され、光分岐挿入機能部４００では、任意波長λｉの光信号の分岐や特定波長λ１（ノード１の場合）の挿入を行うことで、光分岐挿入ノード１０１間の通信が行われる。一方、ＷＤＭカプラ４０４で分離されたＯＳＣリンクは、光メディアコンバータ４０５で、光信号から電気信号へ変換され、電気ルータ４０６に入力される。電気ルータ４０６は、光分岐挿入ノード１０１内に備えられたノード制御部４０７に接続されており、このノード制御部４０７は、現用回線１００および予備回線１１０から伝送されてきたＯＳＣリンクの情報を現用回線１００用、予備回線１１０用それぞれの光分岐挿入機能部４００，４００に反映させる機能を有する。【００３０】
さらに、図１に示したノード１に該当するようなネットワーク管理装置１０２と接続された光分岐挿入ノード１０１の場合、電気ルータ４０６から、ネットワーク管理装置１０２への接続が行われる。各光分岐挿入ノード１０１からのＯＳＣリンクの情報は、現用回線１００および予備回線１１０を経由し、ノード１へ伝送され、ノード１内の光メディアコンバータ４０５によって電気信号に変換された後、電気ルータ４０６から一括してネットワーク管理装置１０２へ伝送される。【００３１】
また、ネットワーク管理装置１０２からの各光分岐挿入ノード１０１への運用波長情報の更新などの制御情報は、電気信号としてノード１の電気ルータ４０６へ伝送された後、光メディアコンバータ４０５によって光信号に変換される。光信号となったネットワーク管理装置１０２からの情報は、ＯＳＣリンクとして、ＷＤＭカプラ４０８によって光分岐挿入機能部４００から伝送されたＷＤＭ信号と合波され、現用回線１００と予備回線１１０それぞれの出力用ポートからリング型の光ネットワークＡに光信号を出力する。【００３２】
図５は、実施例１における光ファイバ断絶の検出から、運用波長の更新までの動作を示すフローチャートである。上述したような光分岐挿入ノード１０１（図４参照）およびネットワーク管理装置１０２（図２参照）からなるリング型の光ネットワークＡにおいて、２本の光ファイバが同時に断絶した場合の新たな波長パスの設定までの動作を、図５を用いて説明する。【００３３】
ネットワーク管理装置１０２には、常時、各光分岐挿入ノード１０１からＯＳＣリンクが伝送されることでリング型の光ネットワークＡの伝送状態の管理を行っている。よって、まずは制御部２０２（図２参照）において、複数の光分岐挿入ノード１０１からＯＳＣリンクの断絶のアラームを取得したか否かの判断を行うこと（ステップＳ５０１）が、リング型の光ネットワークＡの異常を検出する第１段階となる。複数の光分岐挿入ノード１０１からのアラームを取得していなければ（ステップＳ５０１：Ｎｏ）、２本の光ファイバが同時に断絶したものではないと判断し、待機状態となる。【００３４】
なお、アラームを取得したものの一つの光分岐挿入ノード１０１からのＯＳＣリンクの断絶のアラームであった場合は、片方の光ファイバの断絶という事態が想定される。現用回線１００の断絶のアラームであれば、予備回線１１０を用いることで通信の復旧が行われる。ここでは２本の光ファイバが同時に断絶した場合の新たな波長パスの設定までの動作に関して述べる。【００３５】
図５のフローチャートにもどり、ネットワーク管理装置１０２において、複数の光分岐挿入ノード１０１からのアラームを取得した場合（ステップＳ５０１：Ｙｓｅ）、取得した２つの光分岐挿入ノード１０１からのアラームが、同一のＯＳＣリンクの断絶を通知しているか否かを判断する（ステップＳ５０２）。異なるＯＳＣリンクの断絶の場合は（ステップＳ５０２：Ｎｏ）、ステップＳ５０１にもどり、待機状態となる。【００３６】
２つの光分岐挿入ノード１０１からのアラームが、同一のＯＳＣリンクの断絶を通知している場合（ステップＳ５０２：Ｙｅｓ）、アラームをＯＳＣリンクに流した２つの光分岐挿入ノード１０１間を接続する２本の光ファイバが同時に断絶したとみなし、光ファイバの断絶位置を特定する（ステップＳ５０３）。つぎに、ネットワーク管理装置１０２に保持されている運用波長テーブル（図３参照）を参照し、ステップＳ５０３で特定した光ファイバの断絶位置の情報から運用波長テーブルを更新する（ステップＳ５０４）。ステップＳ５０４で更新された運用波長テーブルによる運用波長情報をＯＳＣリンクによってリング型の光ネットワークＡ上の各光分岐挿入ノード１０１へ配布する（ステップＳ５０５）ことにより運用波長の更新動作は終了する。【００３７】
図６は、２本の光ファイバが同時に断絶した際の運用波長テーブルの例を示す表である。図示のように、光ファイバの断絶位置により運用波長テーブルの更新内容は異なる。例えば、図１におけるリング型の光ネットワークＡ上の光分岐挿入ノード１０１のうち、ノード１とノード２の間の２本の光ファイバが断絶した場合は、図６中の運用波長テーブル６００のうちのノード１−２間断６０１に示すような更新内容となる。同様にノード２とノード３の間の２本の光ファイバが断絶した場合には、ノード２−３間断６０２、ノード３とノード４の間の２本の光ファイバが断絶した場合には、ノード３−４間断６０３、ノード４とノード１の間の２本の光ファイバが断絶した場合には、ノード４−１間断６０４にそれぞれ示すような運用波長テーブルへと更新される。図中の運用情報は、図３においても述べた「１：運用中」、「０：非運用中」に加え、「−：ファイバ断絶により運用不可」の３種類で示される。【００３８】
以上述べたように実施例１では、光分岐挿入ノード１０１からのＯＳＣリンクの情報をネットワーク管理装置１０２によって集中管理することで、光ファイバの断絶位置に応じて更新された運用波長テーブルによる運用波長情報が各光分岐挿入ノード１０１へ配布される。したがって、２本の光ファイバが断絶されたまま、各光分岐挿入ノード１０１ごとの特定波長と、伝送経路の再設定が可能となる。
【実施例２】
【００３９】
実施例２は、図１に示すリング型の光ネットワークＡにおける４つの光分岐挿入ノード１０１を、ＷＤＭ信号の入力パワーを監視する機構を備えた光分岐挿入ノード１０３（後述する図７参照）に置換し、現用回線１００と、予備回線１１０と、ネットワーク管理装置１０２の構成や、ネットワーク管理装置１０２に保持されている通常時の運用波長テーブル（図３参照）も実施例１と全く同じであり、監視するＷＤＭ信号の変化によって光ファイバの断絶を検出し、運用波長テーブルの更新を行う。【００４０】
図７は、実施例２における光分岐挿入ノードの構成を示す図である。光分岐挿入ノード１０３は、光カプラ４０１と、波長可変フィルタ部４０２と、リジェクション・アドフィルタ４０３からなる光分岐挿入機能部４００に、ネットワーク管理装置１０２によって集中管理を行うための機能を付加した構成となっている。【００４１】
相反する方向に伝送を行う現用回線１００と予備回線１１０が接続された光分岐挿入ノード１０３は、現用回線１００、予備回線１１０それぞれの入力側のポートからλ１〜λ４の光信号が多重化されたＷＤＭ信号が入力される。実施例１と同様に、現用回線１００と予備回線１１０を伝送するＷＤＭ信号は同一のものである。【００４２】
光分岐挿入ノード１０３に入力されたＷＤＭ信号は、まず光カプラ７００によって２つに分岐される。この光カプラ７００は、ＷＤＭ信号の多重状態を反映させたまま２つに分ける働きを有する。光カプラ７００によって分岐されたＷＤＭ信号の一方は、光分岐挿入機能部４００へ入力され、任意波長λｉの光信号の分岐や特定波長λ１（ノード１の場合）の挿入を行うことで、光分岐挿入ノード１０３間の通信が行われる。光カプラ７００によって分岐されたＷＤＭ信号の他方は、ＰＤ（Ｐｈｏｔｏ  Ｄｉｏｄｅ；受光素子）から構成された、光モニタ７０１へ入力される。ＰＤは、入力された光を電気に変換する素子であり、入力されたＷＤＭ信号の光強度を監視することで光ファイバの断絶の検出を行う。【００４３】
光モニタ７０１におけるＷＤＭ信号の監視情報は、ノード制御部７０２に伝送される。ノード制御部７０２は、光モニタ７０１からの監視情報を現用回線１００用と、予備回線１１０用それぞれの光分岐挿入機能部４００，４００に反映させる機能を有しており、さらにネットワーク管理装置１０２へＷＤＭ信号の監視情報を伝送するために、電気ルータ７０３と接続される。電気ルータ７０３は、ＷＤＭ信号の監視情報をネットワーク管理装置１０２へ伝送するとともに、ネットワーク管理装置１０２から運用波長情報の更新などの制御情報が伝送されてきた場合は光信号へ変換を行い、ＯＳＣリンクによって、他の光分岐挿入ノード（ノード２〜ノード４）へ制御情報を伝送させる。現用回線１００へ伝送を行う場合は回線Ｓ１を経由し、予備回線１１０へ伝送を行う場合は、回線Ｓ２をそれぞれ経由し、光カプラ７０４によってＷＤＭ信号と合波され、各光分岐挿入ノード１０３へ伝送される。【００４４】
図８は、実施例２における光ファイバ断絶の検出から、運用波長の更新までの動作を示すフローチャートである。上述したような光分岐挿入ノード１０３（図７参照）およびネットワーク管理装置１０２（図２参照）からなるリング型の光ネットワークＡにおいて、２本の光ファイバが同時に断絶した場合の新たな波長パス設定までの動作を、図８を用いて説明する。【００４５】
光モニタ７０１では、常時、ＷＤＭ信号の光強度の監視が行われており、監視情報は、ノード制御部７０２に伝送されている。この光強度の大幅な低下、もしくは、ＷＤＭ信号を検出できない状態は、光ファイバの断絶を示す要因となりうることから、光ファイバの断絶の検出を行うには、まずノード制御部７０２において、ＷＤＭ信号の断絶が検出されたか否かの判断を行う（ステップＳ８０１）。ＷＤＭ信号の断絶が検出されない場合（ステップＳ８０１：Ｎｏ）、ＷＤＭ信号の伝送が通常どおりに行われているとみなし、待機状態となる。【００４６】
ＷＤＭ信号の断絶が検出された場合（ステップＳ８０１：Ｙｅｓ）、ネットワーク管理装置１０２が接続されている光分岐挿入ノード１０３（ノード１）の場合は、そのまま接続されている電気ルータ７０３を経由して、ＷＤＭ信号の断絶のアラームをネットワーク管理装置１０２へ通知する。ネットワーク管理装置１０２が接続されていない光分岐挿入ノード１０３（ノード２〜ノード３）の場合は、接続されている電気ルータ７０３から、現用回線１００もしくは予備回線１１０により、ＯＳＣを用いてノード１の電気ルータを経由させることで、ＷＤＭ信号の断絶のアラームをネットワーク管理装置１０２へ通知する（ステップＳ８０２）。【００４７】
ＷＤＭ信号の断絶のアラームを通知されたネットワーク管理装置１０２は、制御部２０２（図２参照）によって、運用波長テーブル部２０３に保持されている運用波長テーブルを参照する（ステップＳ８０３）。これは、検出したＷＤＭ信号の断絶が光ファイバの断絶によるものなのか、該当する光分岐挿入ノード１０３において、運用中の波長がなかったためにＷＤＭ信号が検出されず断絶と検出されたのかを判断するためである。【００４８】
ネットワーク管理装置１０２において、保持されている運用波長テーブルの該当する光分岐挿入ノード１０３に運用波長があるか否かの判断を行い（ステップＳ８０４）、運用波長がない場合（ステップＳ８０４：Ｎｏ）、光ファイバの断絶ではないと判断し、ステップＳ８０１にもどり待機状態となる。【００４９】
運用波長がある場合（ステップＳ８０４：Ｙｅｓ）、光ファイバの断絶が生じていると判断し、さらに複数の光分岐挿入ノード１０３からＷＤＭ信号の断絶のアラームを取得したか否かの判断を行う（ステップＳ８０５）。複数の光分岐挿入ノード１０３からのアラームを取得していなければ（ステップＳ８０５：Ｎｏ）、２本の光ファイバが同時に断絶したものではないと判断し、ステップＳ８０１にもどり、待機状態となる。【００５０】
複数の光分岐挿入ノード１０３からのアラームを取得した場合（ステップＳ８０５：Ｙｅｓ）、取得した２つの光分岐挿入ノード１０３からのアラームが、同一の光分岐挿入ノード１０３間のＷＤＭ信号の断絶を通知したか否かを判断する（ステップＳ８０６）。異なる光分岐挿入ノード１０３間のＷＤＭ信号の断絶を通知した場合は（ステップＳ８０６：Ｎｏ）、同一の光分岐挿入ノード１０３間のＷＤＭ信号の断絶を通知ではないと判断しステップＳ８０１にもどり、待機状態となる。【００５１】
２つの光分岐挿入ノード１０３からのアラームが、同一の光分岐挿入ノード１０３間のＷＤＭ信号の断絶を通知している場合（ステップＳ８０６：Ｙｅｓ）、アラームを通知した２つの光分岐挿入ノード１０３間を接続する２本の光ファイバが同時に断絶したとみなし、光ファイバの断絶位置を特定する（ステップＳ８０７）。つぎに、ネットワーク管理装置１０２に保持されている運用波長テーブル（図３参照）を参照し、ステップＳ８０７で特定した光ファイバの断絶位置の情報から運用波長テーブルを更新する（ステップＳ８０８）。ステップＳ８０８で更新された運用波長テーブルによる運用波長情報を、ＯＳＣを用いてリング型の光ネットワークＡ上の各光分岐挿入ノード１０３へ配布する（ステップＳ８０９）ことにより運用波長の更新動作は終了する。【００５２】
図８に示した更新動作によって各光分岐挿入ノード１０３へ配布される光ファイバの断絶位置ごとの運用波長情報は、実施例１と同様、図６に示したような運用波長テーブル６００によるものとなる。【００５３】
以上述べたように実施例２では、ＷＤＭ信号を監視し、各光分岐挿入ノード１０３の監視情報をネットワーク管理装置１０２によって集中管理することで、光ファイバの断絶位置に応じて更新された運用波長情報が各光分岐挿入ノード１０３へ配布される。したがって、２本の光ファイバが断絶されたまま、光分岐挿入ノード１０３ごとの特定波長と、伝送経路の再設定が可能となる。
【産業上の利用可能性】
【００５４】
以上のように、本発明にかかるネットワーク管理装置、光分岐挿入ノードおよびネットワーク管理方法は、メトロネットワークに有用であり、特に、高い信頼性が求められる企業内ネットワークに適している。
【図１】
0004423326.tif 000002
【図２】
0004423326.tif 000003
【図３】
0004423326.tif 000004
【図４】
0004423326.tif 000005
【図５】
0004423326.tif 000006
【図６】
0004423326.tif 000007
【図７】
0004423326.tif 000008
【図８】
0004423326.tif 000009
【図９】
0004423326.tif 000010
【図１０】
0004423326.tif 000011
【図１１】
0004423326.tif 000012
【図１２】
0004423326.tif 000013
【図１３】
0004423326.tif 000014
【図１４】
0004423326.tif 000015